(57)【要約】      （修正有）【課題】削氷機の氷塊の位置決め及びその保護装置を提供する。【解決手段】基台１、駆動構造２、及びブラケット３を備える。駆動構造２は支持座４が設置される基台１に設けられ、支持座４には駆動構造２に連動される回転棒２１が螺設され、回転棒２１は支持座４に対し上下移動する。支持座４の一側には位置決め空間が凹設され、位置決め空間の内壁の少なくとも一側には第一結合部が設けられ、ブラケット３には対応して装設される第二結合部を有し、ブラケット３は位置決め空間に装設される。ブラケット３には下に向けて貯氷空間３２１が凹設され、ブラケット３の底部には切削刃及び出口部が設置されると共に氷塊が納置され、削氷する際に薄氷片が噴出するのを防ぐ。【選択図】図１
0003191504.tif 000002
【実用新案登録請求の範囲】
【請求項１】
基台、駆動構造、及びブラケットを備え、前記駆動構造は支持座が設置される前記基台に設けられ、前記支持座には回転棒が螺設され、前記回転棒は前記駆動構造に連動して装設され、前記回転棒は前記駆動構造により駆動されて回転し、前記回転棒は前記支持座に対し上下移動し、前記支持座の一側には位置決め空間が凹設され、前記位置決め空間の少なくとも一側には第一結合部が設けられ、前記ブラケットには前記第一結合部に対応して装設される第二結合部を有し、前記ブラケットは前記位置決め空間に装設されると共に下に向け貯氷空間が凹設され、前記ブラケットの底部には切削刃及び出口部が設けられ、前記切削刃は前記貯氷空間に進入し、前記出口部により前記貯氷空間は外界に連通されることを特徴とする削氷機の氷塊の位置決め及びその保護装置。
【考案の詳細な説明】
【技術分野】
【０００１】
本考案は、削氷機の氷塊の位置決め及びその保護装置に関する。
【背景技術】
【０００２】
従来の削氷機は氷塊が切削刃座に載置され、回転機構により氷塊が回転され、氷塊と切削刃とが対向して回転することで氷塊が削られて薄氷片が形成され、かき氷が製造されて食用される。
【考案の概要】
【考案が解決しようとする課題】
【０００３】
しかしながら、前述した従来の削氷機では、氷塊は外に剥き出しの状態で切削刃座に置かれるため、周囲の環境の影響を受けやすく、周囲が高温である場合氷塊がすぐに溶け、コストが増加した。また、外に剥き出した状態の氷塊には埃が着きやすく、衛生上問題があった。このほか、削氷機は氷塊を回転させて切削刃との間で摩擦させ薄氷片を製造するが、前述の過程では薄氷片が回転の遠心力により外に噴出されるため利便性が悪く、また周囲を汚してしまう等の問題の改善が望まれた。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、削氷機の氷塊の位置決め及びその保護装置を提供することを主目的とする。つまり、桶状構造を有し氷塊を入れ、氷塊を位置決めさせると共に薄氷片が噴出するのを防ぎ、同時に保温効果も得られる。
【課題を解決するための手段】
【０００６】
上述した課題を解決し、目的を達成するために、本考案に係る削氷機の氷塊の位置決め及びその保護装置は、基台、駆動構造、及びブラケットを備え、前記駆動構造は支持座が設置される前記基台に設けられ、前記支持座には回転棒が螺設され、前記回転棒は前記駆動構造に連動して装設され、前記回転棒は前記駆動構造により駆動されて回転し、前記回転棒は前記支持座に対し上下移動し、前記支持座の一側には位置決め空間が凹設され、前記位置決め空間の少なくとも一側には第一結合部が設けられ、前記ブラケットには前記第一結合部に対応して装設される第二結合部を有し、前記ブラケットは前記位置決め空間に装設されると共に下に向け貯氷空間が凹設され、前記ブラケットの底部には切削刃及び出口部が設けられ、前記切削刃は前記貯氷空間に進入し、前記出口部により前記貯氷空間は外界に連通されることを特徴とする。
【図面の簡単な説明】
【０００７】
【図１】本考案の第１実施形態に係る削氷機構造を説明する展開図である。
【図２】本考案の第１実施形態に係る削氷機構造の一部部材を説明する断面模式図である。
【図３】本考案の第１実施形態に係る削氷機構造を説明する使用状態の断面模式図である。
【図４】本考案の第２実施形態に係る削氷機構造の一部部材を説明する断面模式図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【０００９】
＜第１実施形態＞
以下、第１実施形態を図１〜３に基づいて説明する。図１は本考案の第１実施形態に係る削氷機の氷塊の位置決め及びその保護装置を示す。基台１、駆動構造２、及びブラケット３を備える。前記駆動構造２は支持座４が設けられる前記基台１に設置され、前記支持座４には回転棒２１が螺設され、前記回転棒２１は前記駆動構造２に連動して装設される。前記回転棒２１は前記駆動構造２により駆動されて回転し、前記回転棒２１は前記支持座４に対し上下移動する。この好ましい実施形態では、前記駆動構造２はモーター（図示せず）及びローター２２を備え、前記モーターは前記基台１上の柱体１１に立設され、前記ローター２２は前記モーターの端部に設置されると共に駆動されて回転する。前記支持座４には位置決め用軸管４１が設置され、前記位置決め用軸管４１の端部には回転盤２３が枢設され、前記回転棒２１は前記回転盤２３を貫通し更に下に向け前記支持座４に螺設される。ベルト２４が記ローター２２及び前記回転盤２３の外に巻かれ、前記ローター２２はベルト２４により前記回転盤２３を連動させて回転させ、前記回転棒２１を更に回転させ、前記回転棒２１を前記支持座４に対し上下移動させる。なお、前記回転棒２１の底端には氷塊を固定させるための釘皿２５（図２参照）が設けられ、前記回転棒２１の回転により氷塊が連動されて回転される。
【００１０】
前記支持座４の一側には位置決め空間４２が凹設され、前記位置決め空間４２の内壁の少なくとも一側には第一結合部が設けられる。この好ましい実施形態では、図１及び図２に示すように、前記支持座４は支持板４３及び２つの位置決め部４４で構成され、前記２つの位置決め部４４は前記支持板４３の両側にそれぞれ装設され、前記支持座４は前記柱体１１に固設される。前記支持板４３及び前記２つの位置決め部４４により包囲される空間は前記位置決め空間４２であり、前記２つの位置決め部４４の前記位置決め空間４２内の対向する一側には第一結合部がそれぞれ設けられる。前記第一結合部は溝部４４１であり、前記ブラケット３は前記位置決め空間４２に滑動するよう設置される。前記ブラケット３は前記溝部４４１に対応して滑動するよう設置される第二結合部を有し、本実施形態では凸部３１１であり、前記ブラケット３は前記位置決め空間４２に装設され、前記ブラケット３には下に向け貯氷空間３２１が凹設され、氷塊が貯氷される。さらに、この実施形態では、前記ブラケット３は板部３１及びバケット３２を有し、前記バケット３２は前記板部３１から凹状に下に延出されて形成され、前記バケット３２内には前記貯氷空間３２１が形成される。前記板部３１の両側には２つの凸部３１１が形成され、前記ブラケット３は前記２つの凸部３１１が前記支持座４の両側の位置決め部４４の溝部４４１に対応して滑動するよう設置され、前記ブラケット３には前記支持座４に装入されると共に前記支持座４から分離される滑動構造が形成される。このほか、前記バケット３２の底面には切削刃３３及び出口部３４が設けられ、前記切削刃３３は前記貯氷空間３２１に進入し、前記出口部３４により前記貯氷空間３２１は外界に連通される。
【００１１】
このほか、前記駆動構造２の上方にはケース１２が覆設され、前記ケース１２には電源スイッチ１３及び転向制御スイッチ１４が設置され、二者は前記駆動構造２にそれぞれ電気的に接続され、前記駆動構造２をそれぞれ起動させ、前記駆動構造２により駆動される前記回転棒２１の回転方向を制御させる。
【００１２】
上述の部材構成により本考案の使用時は図３のように、氷塊５が前記ブラケット３のバケット３２の貯氷空間３２１内に納置され、前記支持座４に装入された後、前記回転棒２１が前記貯氷空間３２１に対応し、釘皿２５には下に向け氷塊５が釘着され、氷塊５は前記回転棒２１に固定されて同調して回転される。続いて前記ケース１２の電源スイッチを入れ転向制御スイッチを操作し、前記回転棒２１に氷塊５を連動させて回転させると共に前記支持座４に対し下に向け移動させ、氷塊５は桶底部の切削刃３３により切削されて薄氷片が形成される。この際形成された薄氷片は前記貯氷空間３２１に収集され、桶底部の出口部３４を経由し吐出され、氷塊５の回転中に遠心力の作用により薄氷片が噴出するのを回避させる。また、氷塊５は前記ブラケット３のバケット３２に載置されても保温作用があるため、氷塊の溶融速度は減速され、材料コストが減少する。このほか、氷塊５は桶に載置されて桶壁により保護されるため、周囲の空気中の埃により汚染されず、かき氷は衛生的に保護される。
【００１３】
＜第２実施形態＞
図４は本考案の第２実施形態を示す。本実施形態の上述の第一実施形態との差異は、前記支持座と前記ブラケットとの結合形態である。この好ましい実施形態では、前記支持座４の第一結合部には対向して延出されるレール４４２が形成され、前記ブラケット３の板部３１の両側には２つの陥没する溝部３１２が形成される。これにより、前記ブラケットの溝部と前記支持座のレールとが結合される。
【００１４】
このほか、前記バケット３２内の貯氷空間３２１には大きな氷塊が貯氷可能な以外、複数の小さな氷塊も貯氷可能であり、本考案により薄氷片を製造可能である。
【００１５】
以上、本考案の実施形態について図面を参照して詳述したが、具体的な構成はこの実施形態に限られるものではなく、本考案の要旨を逸脱しない範囲の設計変更等も含まれる。
【符号の説明】
【００１６】
１ 基台
１１ 柱体
１２ ケース
１３ 電源スイッチ
１４ 転向制御スイッチ
２ 駆動構造
２１ 回転棒
２２ ローター
２３ 回転盤
２４ ベルト
２５ 釘皿
３ ブラケット
３１ 板部
３１１ 凸部
３１２ 溝部
３２ バケット
３２１ 貯氷空間
３３ 切削刃
３４ 出口部
４ 支持座
４１ 位置決め用軸管
４２ 位置決め空間
４３ 支持板
４４ 位置決め部
４４１ 溝部
４４２ レール
５ 氷塊
【図１】
0003191504.tif 000003
【図２】
0003191504.tif 000004
【図３】
0003191504.tif 000005
【図４】
0003191504.tif 000006